(57)【要約】      （修正有）【課題】降雪地域の民家の屋根に雪が降り注いでいても積もらなくする。【解決手段】貯水タンク１３に貯水されている水を雪降りの有無を検知する装置の作動で自動的に検知し、この検知で電磁弁１６を開口してインゼクター１８を介し散水パイプ１、２、３等のノズル穴より散水・吐出して屋根の表面に降り注ぐ雪が積もらないように、是の水で融解させて積雪を防止する。雪が降りやむと、雪降りの有無を検知する装置が作動して自動的に停止する。この装置が停止すればエアーコンプレッサー１４が自動的に作動し空気電磁弁１７・インゼクター１８を介して散水パイプ１、２、３等および他の配管パイプ全体の管内の残留水の凍結を防止するため圧縮空気を圧送してノズル穴より大気へ放出する。【選択図】図１
0003103916.tif 000002
【実用新案登録請求の範囲】
【請求項１】
屋根の上に降り注ぐ雪が積もるところをいくら降り注いでいてもその屋根の上には積もらないように図１および図２に示す散水パイプ（１）（２）（３）等の配管を設置してそれぞれの散水パイプ（１）（２）（３）等に加工したノズル穴（２０）より散水・吐出して降り注ぐ雪の粒子を融解させて積雪を防止する「屋根の自動積雪防止装置」である。
【請求項２】
この「屋根の自動積雪防止装置」は運転の開始・停止を自動的に行なわせるために、図３に示すスクリーン（２２）と４個またはそれ以上の光電スイッチ（２１）を設置して降り注ぐ雪降りの有無を検知する装置を装備する。
【請求項３】
この「屋根の自動積雪防止装置」は散水パイプ（１）（２）（３）等のノズル穴（２０）より散水・吐出する水を各屋根に設けられている雨樋（１０）、竪樋（１１）を通して図１に示す貯水タンク（１３）に集水投入して循環使用することにより水量の節約を図る構造を有する。
【請求項４】
この「屋根の自動積雪防止装置」は雪が降り止んだ時において、「請求項２」に記述した雪降りの有無を検知する装置が作動し、各散水パイプ（１）（２）（３）等のノズル穴（２０）からの散水・吐出が停止し、その後、図１に示すエアーコンプレッサーＡＣ（１４）が作動し空気電磁弁（１７）を介してインゼクター（１８）散水パイプ（１）（２）（３）等や図１、図２に示すエルボ（４）短管（５）チーズ（６）およびホース（８）を圧縮空気が圧送されノズル（２０）より放出することによって各配管内の残留水を除去し、各管内の凍結を防止する構造を有する。
【考案の詳細な説明】
【技術分野】
【０００１】  本考案は降雪地域に於いて雪が屋根に積もった場合の「屋根の雪下ろし」作業に関するものである。
【背景技術】
【０００２】  降雪地域の冬期には山地や平野共に多量の積雪が存在する。それ故、民家の屋根にも相当量の積雪がある。これらの屋根に一旦積もった雪を除去しなければ、積雪重量によって屋根の倒壊が生じる。これを防止するために従来より民家の住人が、雪の降り止んだ時、これら屋根の「雪下ろし」という作業を行なっている。また「雪下ろし」を行なう方法として「スコップ」や「自家製の雪下ろし道具」等を使用して除雪している。【０００３】  この「雪下ろし」という屋根の除雪作業は人手によっておこなわれている。この人手とは民家の「老人」や「子供達」である。最近は「雪下ろしを専門にする業者」を雇って行なわれている。この「雪下ろし作業」は大変な労力を必要とする。業者への経費の負担と危険性が大きい。この作業による事故等が発生することがある。また「雪下ろし作業」によって隣家に雪の落下等による損害を与えることもある。
【考案の開示】
【考案が解決しようとする課題】
【０００４】  降雪地域の冬期に民家の屋根には相当量の積雪がある。これらの屋根の積雪を除去することを前提として、雪が降り始めた時からこれらの屋根に積もらないようにして積雪を防止して「雪下ろし作業」を無くする装置を考案する。
【課題を解決するための手段】
【０００５】  屋根に雪が降っても積もらないための装置を考案する。
図１は装置の基本的構造を示す見取り図である。これは屋根の上部に塩ビ製または金属製等を使用した散水パイプ（１）（２）（３）等を屋根の棟の長手方向に平行に２列及び２階建て等の場合は１階屋根の傾斜上部と外壁との隅等に装備する。
図２に示す各散水パイプ（１）（２）（３）の各一方にはメクラプラグ（２１）を装着し他の一方の端部にそれぞれエルボ（４）短管（５）チーズ（６）パイプ（９）等を接続し、３種  またはそれ以上の散水パイプを連結し１個の塩ビまたは金属製のホース継手（７）を装着してホースまたはパイプ（８）に接続する。これら３種またはそれ以上の散水パイプ（１）（２）（３）にはある一定の間隔で等ピッチにノズル穴（２０）（散水穴）をあけて水等を吐出するようにする。この図１に示す装置は民家または他の建物の屋根に雪が降っても３本以上の散水パイプ（１）（２）（３）等のノズル穴（２０）から水とともに圧縮空気の圧力で押し出された水が屋根の上面に当りながら、その屋根の傾斜面に沿って流れ落ちて降り続いて雪を融解することにより雪がどんなに長く降り注いでいても屋根に降り積もることを防止する。【０００６】  本装置の散水パイプ（１）（２）（３）等のノズル（２０）から圧送する水が散水・吐出し、屋根の上面に均一に流れ落ちる。屋根の上に流れ落ちる水流があるため、この屋根に降り注ぐ雪はこの流水に融解して雪の融解した水は屋根の雨樋（１０）から竪樋（１１）の中を落下し放流することなく他の多くの竪樋（１１）から配管（１２）して集水して貯水タンク（１３）に貯める。貯めた水を揚水ポンプ（１５）で送水し電磁弁（１６）およびインゼクター（１８）を通して再び散水パイプ（１）（２）（３）等のノズル穴（２０）まで圧送し、散水・叶出することによって雪を融解するための水を循環使用して水の使用量を節約し、水道等による経費節減を図る。【０００７】  本装置は図１に示す貯水タンク（１３）の水が揚水ポンプ（１５）インゼクター（２０）を通し圧送されるが、雪が降り止むとこの圧送水が停止する。降雪地域は気温が低いため、圧送・散水が停止すれば、送水するホースまたは配管パイプ（８）等や散水パイプの中の残留水が凍結し、この装置の再運転が不可能となり、積雪防止ができなくなる。これを防止するために、エアーコンプレッサー（１４）を作動させ、圧縮空気を空気電磁弁（１７）を開口しインゼクター（１８）より送水ホースまたは配管パイプ（８）を介して散水パイプ（１）（２）（３）等に存在する残留水をノズル（２０）より散水・吐出する。【０００８】  本装置は図３に示すように自動的に運転及び停止が可能になるため降雪する雪の有無を検知する装置を装備する。
黒色の板状のスクリーン（２２）を設置し、そのスクリーン（２２）に対応してある一定の距離に４個ないしそれ以上の拡散反射形光電スイッチ（２１）をスイッチホルダー（２３）に一定間隔に並列に取り付けて検知を可能にする。
まず、雪がスクリーン（２２）と４個それ以上の光電スイッチ（２１）との間に降り注ぎ落下すると、４個ないしそれ以上の光電スイッチ（２１）のどれか１個または２個等が「ライト・オン」として検知すれば、本装置が自動的に運転を開始して水を圧送し散水する。雪が降り止むと、ある一定の時間の間に雪の降り状況の有無を判定・検知して本装置の運転作動を停止する。この停止後、ある一定の時間後、図１に示すエアーコンプレッサー（１４）の作動による圧縮空気の圧送を以て管内凍結防止作用を終了して本装置「屋根の自動積雪防止装置」の稼動を全停止する装置を有する。
【考案の効果】
【０００９】  本考案「屋根の自動積雪防止装置」を採用・稼動させれば、雪が降り始めた時からいくら長時間、屋根の上に降り注いでいても雪が屋根に積もることがなく、「雪下ろし」という作業がなく、しかも屋根への積雪に関する損傷・倒壊等の被害が起こる心配も要らない。降雪地域への民家の屋根の上の積雪が皆無となる。
【産業上の利用可能性】
【００１０】  本考案「屋根の自動積雪防止装置」は図１に示した屋根が「瓦屋根」を示している。他の「トタン屋根」や「ビルの屋上」等においても採用可能である。
本考案「屋根の自動積雪防止装置」は単独装置をであるが、既設の民家や新規のハウス建築産業界にあってもそれらの屋根に付帯設置して利用できる。
降雪地域において特に「トタン屋根」の民家は、真夏では屋内が相当暑くなるため、本考案「屋根の自動積雪防止装置」を採用すると、屋内を涼しくしのぎやすくすることが可能である。
【図面の簡単な説明】
【００１１】
【図１】屋根の自動積雪防止装置の全体見取り構造図である。
【図２】屋根の自動積雪防止装置の散水パイプの部分詳細見取り図である。
【図３】屋根の自動積雪防止装置に付帯する雪降りの有無を検知する装置の見取り図である。
【符号の説明】
【００１２】  １  散水パイプ          ２  散水パイプ      ３  散水パイプ
４  エルボ              ５  短管            ６  チーズ
７  ホース継手          ８  ホース管        ９  パイプ
１０  雨樋              １１  竪樋          １２  配管パイプ
１３  貯水タンク        １４  エアーコンプレッサー
１５  揚水ポンプ        １６  電磁弁        １７  空気電磁弁
１８  インゼクター      １９  メクラプラグ  ２０  ノズル穴
２１  光電スイッチ      ２２  スクリーン    ２３  スイッチホルダー
２４  スタンド
【図１】
0003103916.tif 000003
【図２】
0003103916.tif 000004
【図３】
0003103916.tif 000005
【手続補正書】
【提出日】平成16年4月1日(2004.4.1)
【手続補正１】
【補正対象書類名】図面
【補正対象項目名】図１
【補正方法】変更
【補正の内容】
【図１】
0003103916.tif 000006
【手続補正２】
【補正対象書類名】図面
【補正対象項目名】図２
【補正方法】削除
【補正の内容】
【手続補正３】
【補正対象書類名】図面
【補正対象項目名】図３
【補正方法】削除
【補正の内容】
【手続補正書】
【提出日】平成16年4月1日(2004.4.1)
【手続補正１】
【補正対象書類名】明細書
【補正対象項目名】全文
【補正方法】変更
【補正の内容】
【考案の詳細な説明】
【技術分野】
【０００１】  降雪地域に於ける建物の屋根に雪が降っても積もらなくするための屋根の自動積雪防止装置に関するものである。
【背景技術】
【０００２】前記降雪地域に於いては従来建物の屋根に雪が積もると、人手による「雪下ろし」作業を行なう。この作業は大変な労働力を要し、かつ危険性が高く、雪の落下や積雪重量が大きいため、屋根の倒壊や損傷および事故等が発生する。
【考案の開示】
【考案が解決しょうとする課題】
【０００３】前記「雪下ろし」作業によって生ずる労働力の皆無およびこの作業に伴う危険性・倒壊や損傷・事故等を防止することを課題としている。
【課題を解決するための手段】
【０００４】本考案は前記課題を解決するための手段として屋根に雪が降っても積もらなくする屋根の自動積雪防止装置である。図１は本考案「屋根の自動積雪防止装置」の全体構成図を示す。屋根傾斜面の上部に、棟の長手方向と平行して図１中のＡ部詳細に示すように、等間隔ピッチで加工したノズル穴またはスリット溝穴等の散水穴（２０）を設けた２本の散水パイプ（１）（２）を取り付け、夫々散水パイプの先端部にメクラプラグ（１９）を封着し、これらのパイプの他の端部に夫々エルボ（４）短管（５）チーズ（６）パイプ（９）およびホース継手（７）、ホース（８）等の配管部品を接続・組立して構成する散水・吐出設備手段と一方貯水タンク（１３）を揚水ポンプ（１５）の吸込管で接続する。揚水ポンプ（１５）の吐出部に電磁弁（１６）とインゼクター（１８）をパイプで接続・組立した送水機能を持つ装置と、エアーコンプレッサー（１４）とその空気吐出側に空気電磁弁（１７）を設け、該インゼクター（１８）に接続配管した装置、さらにＢ部詳細に示す黒色の板状を持つスクリーン（２２）と４個の拡散反射形光電スイッチ（２１）を装備して成る降雪検知器（２３）を設置してこれら３種の装置を合体してユニット化設備とし、地上に容易に設置ならしめる地上設置形とした送水設備手段を以て構成する「屋根の自動積雪防止装置」である。
【０００５】  送水設備手段には、図１に示す屋根傾斜面下方部に既設の雨樋（１０）と竪樋（１１）が設置している。この竪樋（１１）の上方部に特殊竪樋継手（３）を設け、これをパイプ（１２）で貯水タンク（１３）の上部と接続・配管した構造を有する「屋根の自動積雪防止装置」である。
【作用】
【０００６】  雪が降り始めると、雪降りを検知する前記降雪検知器（２３）が作動し、送水設備手段の電磁弁（１６）は開口して揚水ポンプ（１５）が運転開始して送水する。送水された水はインゼクター（１８）から各種配管部品の管内を圧送し、散水吐出設備手段の散水パイプ（１）、（２）まで到達して、夫々該散水パイプに加工したノズル穴またはスリット溝穴等の該散水穴より、屋根傾斜面上に均一に散水・吐出して降り注ぐ雪の粒子を融解して積雪することを未然に防止する。
【０００７】  送水設備手段には、雪が屋根傾斜面に積ることなく、雪を融解した水は既設の雨樋（１０）の中に流れ落ち、既設の竪樋（１１）に集水され、そのまま落下して地上または排水口等に放流せず、前記特殊竪樋継手（３）を流れ、パイプ（１２）を経て貯水タンク（１３）に再貯水する。これにより使用水の節水と水量の維持費の軽減を図れるように使用水の循環使用機能を行なう。
【０００８】  雪が降り止んだ時、前記降雪検知器（２３）が降り止みを検知して、この作用で揚水ポンプ（１５）の運転が停止する。送水された水は各管内に残留して凍結する。この凍結を防止するため、送水設備手段に装備しているエアーコンプレッサー（１４）が作動し、空気電磁弁（１７）を介して圧縮空気をインゼクター（１８）の中に圧送して散水・吐出設備に付帯して装備している各配管部品の管内を通過して散水パイプ（１）、（２）に到達させ、夫々該散水パイプのノズル穴またはスリット溝穴等の散水穴（２０）から残留水を放出させる。
【０００９】本考案「屋根の自動積雪防止装置」は雪の降り始めから降り止むまで稼動運転の開始・停止を該降雪検知器の作動で自動的操作によって実施する構成を有する。
【考案の効果】
【００１０】  本考案「屋根の自動積雪防止装置」を採用・稼動させれば、雪が降り始めた時からいくら長時間、屋根の上に降り注いでいても雪が屋根に積もることがなく、「雪下ろし」という作業がなく、しかも屋根への積雪に関する損傷・倒壊等の被害が起こる心配も要らない。降雪地域への民家の屋根の上の積雪が皆無となる。
【産業上の利用可能性】
【００１１】  本考案「屋根の自動積雪防止装置」は図１に示した屋根が「瓦屋根」を示している他の「トタン屋根」や「ビルの屋上」等においても採用可能である。
本考案「屋根の自動積雪防止装置」は単独装置であるが、既設の民家や新規のハウス建築産業界にあってもそれらの屋根に付帯設置して利用できる。
降雪地域において特に「トタン屋根」の民家は、真夏では屋内が相当暑くなるため、本考案「屋根の自動積雪防止装置」を採用すると、屋内を涼しくしのぎやすくすることが可能である。
【図面の簡単な説明】
【００１２】
【図１】屋根の自動積雪防止装置の全体構成図を示す。
【符号の説明】
【００１３】  １  散水パイプ          ２  散水パイプ      ３特殊竪樋継手
４  エルボ              ５  短管            ６  チーズ
７  ホース継手          ８  ホース管        ９  パイプ
１０  雨樋              １１  竪樋          １２  配管パイプ
１３  貯水タンク        １４  エアーコンプレッサー
１５  揚水ポンプ        １６  電磁弁        １７  空気電磁弁
１８  インゼクター      １９  メクラプラグ  ２０散水穴
２１  光電スイッチ      ２２  スクリーン    ２３降雪検知器
【手続補正書】
【提出日】平成16年4月1日(2004.4.1)
【手続補正１】
【補正対象書類名】実用新案登録請求の範囲
【補正対象項目名】全文
【補正方法】変更
【補正の内容】
【実用新案登録請求の範囲】
【請求項１】
屋根傾斜面の上部に、等間隔ピッチに加工したノズル穴またはスリット溝等の散水穴（２０）を設けた該散水パイプおよびこれに付帯する配管部品を椄続して、屋根傾斜面上に降り注ぐ雪を融解して積雪を防止する散水・吐出設備手段と、散水・吐出させるに必要な貯水タンク（１３）と揚水ポンプ（１５）を主体に、エアーコンプレッサー（１４）等を搭載かつユニット化して地上に容易に設置可能ならしめる送水設備手段で構成する屋根の自動積雪防止装置。
【請求項２】
前記送水設備手段を自動的に稼動させるため、スクリーン（２２）と拡散反射形光電スイッチ（２１）を装着する降雪検知器（２３）を備えた請求項１に記載する屋根の自動積雪防止装置。
【請求項３】
雪を融解するに必要とする使用水を節約し、かつ維持費を軽減するため、使用水の循環使用を可能ならしめるに、既設の竪樋（１１）の上方部に設置した特殊竪樋継手（３）と貯水タンク（１３）の上部を接続するパイプ（１２）を設けた請求項１に記載する屋根の自動積雪防止装置。
【請求項４】
雪が降り止んだ時、請求項２に記載した該降雪検知器の作動で送水設備手段の送水を停止し、エアーコンプレッサー（１４）で発生する圧縮空気を該散水パイプまで圧送して各配管部品の管内に存在する残留水を該散水穴から放出させて配管内の凍結を防止するため、圧縮空気を圧送するに必要なインゼクター（１８）を装備した請求項１に記載する屋根の自動積雪防止装置。